(57)【要約】【課題】画像を良好に視認させることができる画像表示装置を提供する。【解決手段】画像表示装置１は、入射した光を透過させる透過状態、または入射した光を遮断する遮断状態に切替可能とする第１選択部３１及び第２選択部３２を有する画像選択手段３と、表示手段２１及び画像選択手段３の動作を制御する制御手段４とを備える。制御手段４は、第１画像及び第２画像を時分割で交互に表示させる表示制御部２３と、第１画像の表示期間では第１選択部３１を透過状態に切り替えるとともに第２選択部３２を遮断状態に切り替え、第２画像の表示期間では第１選択部３１を遮断状態に切り替えるとともに第２選択部３２を透過状態に切り替える選択切替部３６とを備える。選択切替部３６は、温度検出手段５にて検出された表示手段２１及び画像選択手段３の温度に基づいて、透過状態及び遮断状態の切替タイミングを変更する。【選択図】図２
2011197041.tif 000002
【特許請求の範囲】
【請求項１】
第１画像及び第２画像を表示する表示手段と、
入射した光を透過させる透過状態、または遮断する遮断状態に切替可能とする第１選択部及び第２選択部を有する画像選択手段と、
前記表示手段及び前記画像選択手段の動作を制御する制御手段と、
前記表示手段及び前記画像選択手段の少なくともいずれか一方の温度を検出する温度検出手段とを備え、
前記制御手段は、
前記第１画像及び前記第２画像を時分割で交互に表示させる表示制御部と、
前記第１画像の表示期間では前記第１選択部を前記透過状態に切り替えるとともに前記第２選択部を前記遮断状態に切り替え、前記第２画像の表示期間では前記第１選択部を前記遮断状態に切り替えるとともに前記第２選択部を前記透過状態に切り替える選択切替部とを備え、
前記選択切替部は、
前記温度検出手段にて検出された温度に基づいて、前記透過状態及び前記遮断状態の切替タイミングを変更する
ことを特徴とする画像表示装置。
【請求項２】
請求項１に記載の画像表示装置において、
前記選択切替部は、
前記画像選択手段の温度が基準となる温度範囲よりも低い場合には、前記透過状態から前記遮断状態への切替タイミングを早める
ことを特徴とする画像表示装置。
【請求項３】
請求項１または請求項２に記載の画像表示装置において、
前記選択切替部は、
前記表示手段の温度が基準となる温度範囲よりも高い場合には、前記遮断状態から前記透過状態への切替タイミングを早める
ことを特徴とする画像表示装置。
【発明の詳細な説明】
【技術分野】
【０００１】
本発明は、画像表示装置に関する。
【背景技術】
【０００２】
従来、スクリーン上に画像を投影するプロジェクターと、観察者に装着される眼鏡とを備え、当該眼鏡を通してスクリーン上の投影画像を立体視させる画像表示装置が知られている（例えば、特許文献１参照）。
特許文献１に記載の画像表示装置では、プロジェクターは、第１表示期間では左目用画像をスクリーン上に投影し、第２表示期間では右目用画像をスクリーン上に投影し、第１表示期間及び第２表示期間を時分割で交互に切り替える。また、眼鏡は、液晶シャッター眼鏡で構成され、プロジェクターの上述した時分割駆動に同期して、左目用透過部と右目用透過部とが交互に光を透過させる透過状態と遮断する遮断状態とに変化する。このため、観察者は、眼鏡を通して、第１表示期間では左目にてスクリーン上の左目用画像を視認し、第２表示期間では右目にてスクリーン上の右目用画像を視認し、視差により投影画像を立体視する。
【先行技術文献】
【特許文献】
【０００３】
【特許文献１】特開２００７−２５３３７号公報（段落番号〔００４１〕、図８）
【発明の概要】
【発明が解決しようとする課題】
【０００４】
特許文献１に記載の画像表示装置では、観察者に装着される眼鏡として温度により応答速度が変化しやすい液晶シャッター眼鏡が採用されているため、環境温度による影響を受けやすく、画像を良好に視認させることが難しい、という問題がある。
【０００５】
本発明の目的は、画像を良好に視認させることができる画像表示装置を提供することにある。
【課題を解決するための手段】
【０００６】
本発明の画像表示装置は、第１画像及び第２画像を表示する表示手段と、入射した光を透過させる透過状態、または遮断する遮断状態に切替可能とする第１選択部及び第２選択部を有する画像選択手段と、前記表示手段及び前記画像選択手段の動作を制御する制御手段と、前記表示手段及び前記画像選択手段の少なくともいずれか一方の温度を検出する温度検出手段とを備え、前記制御手段は、前記第１画像及び前記第２画像を時分割で交互に表示させる表示制御部と、前記第１画像の表示期間では前記第１選択部を前記透過状態に切り替えるとともに前記第２選択部を前記遮断状態に切り替え、前記第２画像の表示期間では前記第１選択部を前記遮断状態に切り替えるとともに前記第２選択部を前記透過状態に切り替える選択切替部とを備え、前記選択切替部は、前記温度検出手段にて検出された温度に基づいて、前記透過状態及び前記遮断状態の切替タイミングを変更することを特徴とする。
【０００７】
本発明では、画像表示装置を構成する制御手段が上述した選択切替部を備えるので、画像選択手段を液晶シャッター眼鏡で構成した場合であっても、環境温度による影響を透過状態及び遮断状態の切替タイミングを変更することで相殺し、画像を良好に視認させることができる。
【０００８】
本発明の画像表示装置では、前記選択切替部は、前記画像選択手段の温度が基準となる温度範囲よりも低い場合には、前記透過状態から前記遮断状態への切替タイミングを早めることが好ましい。
本発明では、選択切替部は、画像選択手段が例えば常温付近の温度範囲（基準となる温度範囲）よりも低い温度である場合（以下、画像選択手段が低温の場合）には、画像選択手段が常温付近の温度範囲内の温度である場合での透過状態から遮断状態への切替タイミングに対して、当該切替タイミングを早める。
このことにより、例えば、画像選択手段が低温となり第１選択部の応答速度が遅くなることで第１選択部における透過状態の時間が長くなった場合であっても、第１選択部における透過状態から遮断状態への切替タイミングを早めることで、透過状態の時間を短くすることができる。すなわち、第２画像の表示期間中に第１選択部の透過状態が継続することを防止できる。第２選択部も同様である。
したがって、第１選択部を通して第１画像のみを透過させ、第２選択部を通して第２画像のみを透過させることができ、所謂、クロストークが生じることを回避できる。
【０００９】
本発明の画像表示装置では、前記選択切替部は、前記表示手段の温度が基準となる温度範囲よりも高い場合には、前記遮断状態から前記透過状態への切替タイミングを早めることが好ましい。
本発明では、選択切替部は、表示手段が例えば常温付近の温度範囲よりも高い温度である場合（以下、表示手段が高温の場合）には、表示手段が常温付近の温度範囲内の温度である場合での遮断状態から透過状態への切替タイミングに対して、当該切替タイミングを早める。
このことにより、例えば、液晶パネル等で構成した表示手段が高温となり応答速度が速くなることで第１画像または第２画像のいずれか一方のみが表示される期間が長くなった場合に、当該期間に対応して、第１選択部や第２選択部の透過状態の時間を長くすることができる。
したがって、第１選択部を通して第１画像を視認できる時間が長くなり、第２選択部を通して第２画像を視認できる時間が長くなり、明るい画像を観察者に視認させることができる。
【図面の簡単な説明】
【００１０】
【図１】本実施形態における画像表示装置の使用形態を示す斜視図。
【図２】本実施形態における画像表示装置の構成を模式的に示すブロック図。
【図３】本実施形態における画像表示装置の常温動作を説明するための図。
【図４】本実施形態における画像表示装置の眼鏡低温動作を説明するための図。
【図５】本実施形態における画像表示装置のパネル高温動作を説明するための図。
【発明を実施するための形態】
【００１１】
以下、本発明の実施の一形態を図面に基づいて説明する。
〔１．画像表示装置の構成〕
図１は、画像表示装置１の使用形態を示す斜視図である。
図２は、画像表示装置１の構成を模式的に示すブロック図である。
画像表示装置１は、反射型のスクリーンＳｃ上に投影画像を表示するとともに、観察者に投影画像を立体視させる。この画像表示装置１は、図１または図２に示すように、プロジェクター２と、画像選択手段としての液晶シャッター眼鏡３とを備える。
【００１２】
〔２．プロジェクターの構成〕
プロジェクター２は、画像情報（画像データ）に基づく画像光を形成してスクリーンＳｃ上に投射する。このプロジェクター２は、図１に示すように、外装を構成する外装筐体２Ａと、外装筐体２Ａに収納される光学ユニット２Ｂ及び制御装置２Ｃとを備える。
光学ユニット２Ｂは、具体的な図示は省略したが、光源装置、前記光源装置から出射された光束を画像情報に応じて変調して画像を形成する表示手段としての液晶パネル２１（図２）、及び画像を投射する投射レンズ２２（図１）を有する。
【００１３】
制御装置２Ｃは、ＣＰＵ（Central Processing Unit）等を有し、液晶パネル２１の動作を制御する。この制御装置２Ｃは、図２に示すように、表示制御部２３と、タイミングコントローラー２４と、第１温度センサー２５と、送信部２６とを備える。
タイミングコントローラー２４は、後述する画像ＲＯＭ２３１に記憶された画像データに含まれる同期信号を読み取ってパネル駆動部２３３及び送信部２６の同期をとる。
表示制御部２３は、画像ＲＯＭ(Read Only Memory)２３１と、信号処理部２３２と、パネル駆動部２３３とを備える。
画像ＲＯＭ２３１は、液晶パネル２１に形成させる画像データを記憶する。ここで、画像データは、左目用画像データと、右目用画像データとで構成されている。また、これら左目用画像データ及び右目用画像データは、１フレーム毎のデータの集まりによってそれぞれ構成されている。
【００１４】
信号処理部２３２は、画像ＲＯＭ２３１に記憶された画像データ（左目用画像データ及び右目用画像データ）を適宜、読み出し、これら画像データを所定の信号に変換してパネル駆動部２３３に出力する。
そして、パネル駆動部２３３は、信号処理部２３２から出力された信号に基づいて、液晶パネル２１を駆動する。
【００１５】
第１温度センサー２５は、外装筐体２Ａ内部の温度（液晶パネル２１の温度）を検出する。そして、第１温度センサー２５は、検出した温度に関する信号を送信部２６に出力する。
送信部２６は、後述する第１表示期間及び第２表示期間の開始タイミングに関する信号、及び第１温度センサー２５にて検出された温度に関する信号を送信する。
本実施形態では、送信部２６は、具体的な図示は省略したが、赤外発光ＬＥＤ(Light Emitting Diode)、及び当該赤外発光ＬＥＤを発光させる駆動回路等で構成され、上述した各信号を、発光時間や発光パターンを変化させることで送信する。
【００１６】
〔３．シャッター眼鏡の構成〕
液晶シャッター眼鏡３は、観察者が装着するものであり、図１または図２に示すように、第１選択部としての左目用選択部３１と、第２選択部としての右目用選択部３２と、受信部３３（図２）と、第２温度センサー３４（図２）と、メモリー３５（図２）と、選択切替部としてのシャッター切替部３６（図２）とを備える。
なお、表示制御部２３及びシャッター切替部３６が本発明に係る制御手段４（図２）に相当するものである。また、第１温度センサー２５及び第２温度センサー３４が本発明に係る温度検出手段５（図２）に相当するものである。
【００１７】
左目用選択部３１及び右目用選択部３２は、所謂液晶シャッターで構成され、ＯＮ信号の入力（電圧印加の状態）、ＯＦＦ信号の入力（電圧非印加の状態）で、光を透過させる透過状態、光を遮断する遮断状態にそれぞれ切り替わる。
受信部３３は、送信部２６から送信された信号を受信する。
本実施形態では、受信部３３は、具体的な図示は省略したが、赤外受光素子等で構成され、送信部２６から出射された赤外光を受光して信号に変換し、シャッター切替部３６に出力する。
【００１８】
第２温度センサー３４は、液晶シャッター眼鏡３のフレーム等に取り付けられ、液晶シャッター眼鏡３の温度（各選択部３１，３２の温度）を検出する。そして、第２温度センサー３４は、検出した温度に関する信号をシャッター切替部３６に出力する。
メモリー３５は、左目用選択部３１及び右目用選択部３２の透過状態及び遮断状態の切替タイミングに関する情報や、基準となる温度範囲（本実施形態では、常温付近の温度範囲）に関する情報を記憶する。
より具体的に、メモリー３５は、上述した切替タイミングとして、常温動作時、眼鏡低温動作時、及びパネル高温動作時の３つの切替タイミングに関する情報を記憶する。
なお、常温動作とは、液晶パネル２１、及び各選択部３１，３２の双方が前記基準となる温度範囲内の温度である場合の動作を意味する。
また、眼鏡低温動作とは、液晶パネル２１が前記基準となる温度範囲内の温度（以下、液晶パネル２１が常温）であり、かつ各選択部３１，３２が前記基準となる温度範囲よりも低い温度（以下、各選択部３１，３２が低温）である場合の動作を意味する。
さらに、パネル高温動作とは、各選択部３１，３２が前記基準となる温度範囲内の温度（以下、各選択部３１，３２が常温）であり、かつ液晶パネル２１が前記基準となる温度範囲よりも高い温度（以下、液晶パネル２１が高温）である場合の動作を意味する。
【００１９】
シャッター切替部３６は、受信部３３からの信号、第２温度センサー３４からの信号、及びメモリー３５に記憶された情報に基づいて、左目用選択部３１及び右目用選択部３２にＯＮ信号、ＯＦＦ信号を出力し、左目用選択部３１及び右目用選択部３２の透過状態及び遮断状態を切り替える。
【００２０】
〔４．画像表示装置の動作〕
次に、上述した画像表示装置１の動作について説明する。
なお、以下では、画像表示装置１の動作として、常温動作、眼鏡低温動作、及びパネル高温動作を順に説明する。
【００２１】
〔4-1．常温動作〕
図３は、画像表示装置１の常温動作を説明するための図である。具体的に、図３では、液晶パネル２１における左目用画像及び右目用画像の切替タイミングを上段に示し、左目用選択部３１及び右目用選択部３２における透過状態及び遮断状態の切替タイミングを下段に示している。後述する図４及び図５も同様である。
なお、以下では、画像表示装置１の常温動作として、プロジェクター２の動作、及び液晶シャッター眼鏡３の動作を順に説明する。
【００２２】
〔4-1-1．プロジェクターの動作〕
制御装置２Ｃは、以下に示すように、液晶パネル２１の動作を制御する。
すなわち、信号処理部２３２は、開始タイミングＰ１Ｓ〜終了タイミングＰ１Ｅの第１表示期間Ｔ１（図３）では、画像ＲＯＭ２３１から左目用画像データを読み出し、パネル駆動部２３３を介して、液晶パネル２１に左目用画像（第１画像）を表示させる。
また、信号処理部２３２は、第１表示期間Ｔ１の後、開始タイミングＰ２Ｓ（終了タイミングＰ１Ｅと同時）〜終了タイミングＰ２Ｅ（開始タイミングＰ１Ｓと同時）の第２表示期間Ｔ２（図３）では、画像ＲＯＭ２３１から右目用画像データを読み出し、パネル駆動部２３３を介して、液晶パネル２１に右目用画像（第２画像）を表示させる。
以上のように、制御装置２Ｃは、第１表示期間Ｔ１及び第２表示期間Ｔ２を、例えば、６０Ｈｚないし１２０Ｈｚの周期で交互に切り替え、時分割で液晶パネル２１に左目用画像及び右目用画像を交互に表示させる。
また、送信部２６は、第１表示期間Ｔ１及び第２表示期間Ｔ２の開始タイミングＰ１Ｓ，Ｐ２Ｓに関する信号、及び第１温度センサー２５にて検出された液晶パネル２１の温度に関する信号を送信する。
【００２３】
〔4-1-2．シャッター眼鏡の動作〕
シャッター切替部３６は、受信部３３からの信号に基づいて、第１表示期間Ｔ１及び第２表示期間Ｔ２の開始タイミングＰ１Ｓ，Ｐ２Ｓを認識する。
また、シャッター切替部３６は、受信部３３からの信号、及び第２温度センサー３４からの信号に基づいて、液晶パネル２１の温度、及び各選択部３１，３２の温度と、メモリー３５に記憶された基準となる温度範囲とを比較する。
そして、シャッター切替部３６は、液晶パネル２１、及び各選択部３１，３２の双方が常温である場合には、メモリー３５から常温動作時の切替タイミングに関する情報を読み出し、以下に示すように、左目用選択部３１及び右目用選択部３２の動作を制御する。
【００２４】
すなわち、シャッター切替部３６は、図３に示すように、第１表示期間Ｔ１では、開始タイミングＰ１Ｓに対して所定時間、遅れた開始タイミングＳ１Ｓで左目用選択部３１にＯＮ信号を出力し、左目用選択部３１を遮断状態から透過状態に切り替える。また、シャッター切替部３６は、第２表示期間Ｔ２の開始タイミングＰ２Ｓに対して所定時間、早い終了タイミングＳ１Ｅで左目用選択部３１にＯＦＦ信号を出力し、左目用選択部３１を透過状態から遮断状態に切り替える。
【００２５】
なお、上述した開始タイミングＳ１Ｓや終了タイミングＳ１Ｅは、以下のように設定されている。
すなわち、液晶パネル２１は、図３に示すように、液晶の応答速度に起因し、目的とする輝度ＰＬ（左目用画像を表示するための輝度），ＰＲ（右目用画像を表示するための輝度）に到達、あるいは、到達後、非表示となるまでの遅延時間ＰＤが存在するものである。
左目用選択部３１及び右目用選択部３２も同様に、液晶の応答速度に起因し、ＯＮ信号が入力されて略全ての光を遮断する全閉状態ＳＣ（図３）から略全ての光を透過させる全開状態ＳＬＰ，ＳＲＰ（図３）に到達する、あるいは、ＯＦＦ信号が入力されて全開状態ＳＬＰ，ＳＲＰから全閉状態ＳＣに戻るまでの遅延時間ＳＤが存在するものである。
そして、メモリー３５には、常温動作時の切替タイミングに関する情報として、遅延時間ＰＤ，ＳＤに関する情報が記憶されている。
シャッター切替部３６は、メモリー３５から遅延時間ＰＤ，ＳＤに関する情報を読み出し、第１表示期間Ｔ１では、開始タイミングＰ１Ｓに対して遅延時間ＰＤだけ遅れた開始タイミングＳ１Ｓで左目用選択部３１にＯＮ信号を出力し、開始タイミングＰ２Ｓに対して遅延時間ＳＤだけ早い終了タイミングＳ１Ｅで左目用選択部３１にＯＦＦ信号を出力する。
【００２６】
一方、シャッター切替部３６は、図３に示すように、第２表示期間Ｔ２では、第１表示期間Ｔ１と略同様に、開始タイミングＰ２Ｓに対して遅延時間ＰＤだけ遅れた開始タイミングＳ２Ｓで右目用選択部３２にＯＮ信号を出力し、右目用選択部３２を遮断状態から透過状態に切り替える。また、シャッター切替部３６は、第１表示期間Ｔ１の開始タイミングＰ１Ｓに対して遅延時間ＳＤだけ早い終了タイミングＳ２Ｅで右目用選択部３２にＯＦＦ信号を出力し、右目用選択部３２を透過状態から遮断状態に切り替える。
【００２７】
すなわち、左目用選択部３１及び右目用選択部３２が透過状態となる透過時間ＴＰ（図３）と、第１表示期間Ｔ１や第２表示期間Ｔ２において、左目用画像または右目用画像のいずれか一方のみが表示されている一方表示時間ＴＳ（図３）とが略同一となるように設定されている。
【００２８】
以上の動作により、第１表示期間Ｔ１中の一方表示時間ＴＳでは、左目用選択部３１が透過状態となり、右目用選択部３２が遮断状態となっているため、スクリーンＳｃ上の投影画像（左目用画像）は、観察者の左目のみで視認されることとなる。また、第２表示期間Ｔ２中の一方表示時間ＴＳでは、右目用選択部３２が透過状態となり、左目用選択部３１が遮断状態となっているため、スクリーンＳｃ上の投影画像（右目用画像）は、観察者の右目のみで視認されることとなる。このため、観察者は、スクリーンＳｃ上の投影画像を視差により立体視することとなる。
【００２９】
〔4-2．眼鏡低温動作〕
図４は、画像表示装置１の眼鏡低温動作を説明するための図である。具体的に、図４（Ａ）は、液晶パネル２１が常温であり、かつ各選択部３１，３２が低温である場合に、常温動作での各タイミングＳ１Ｓ，Ｓ１Ｅ，Ｓ２Ｓ，Ｓ２Ｅで透過状態及び遮断状態を切り替えた状態を示している。図４（Ｂ）は、図４（Ａ）に対して、終了タイミングＳ１Ｅ，Ｓ２Ｅを変更した状態を示している。
なお、画像表示装置１の眼鏡低温動作は、上述した常温動作に対して、シャッター切替部３６による左目用選択部３１及び右目用選択部３２へのＯＦＦ信号の出力タイミング（終了タイミングＳ１Ｅ，Ｓ２Ｅ）が異なるのみである。このため、以下では、終了タイミングＳ１Ｅ，Ｓ２Ｅのみを説明する。
【００３０】
各選択部３１，３２が低温である場合には、各選択部３１，３２は、応答速度が常温時と比較して遅くなる。
このため、例えば、各選択部３１，３２の切替タイミングを、常温動作時と同様の切替タイミング（開始タイミングＳ１Ｓ，Ｓ２Ｓ、終了タイミングＳ１Ｅ，Ｓ２Ｅ）とした場合には、以下に示すように、不具合が生じてしまう。
例えば、左目用選択部３１は、液晶の応答速度が遅くなっているため、図４（Ａ）に示すように、ＯＮ信号（開始タイミングＳ１Ｓ）を入力すると、全閉状態ＳＣから全開状態ＳＬＰに切り替わる前にＯＦＦ信号（終了タイミングＳ１Ｅ）を入力し、全閉状態ＳＣに戻る前に第２表示期間Ｔ２が始まってしまう。すなわち、左目用選択部３１の透過時間ＴＰの一部が第２表示期間Ｔ２に入り込むこととなり、観察者は、第２表示期間Ｔ２において、スクリーンＳｃ上の投影画像（右目用画像）を左目にて視認してしまう。なお、右目用選択部３２も同様である。
したがって、観察者は、左目にて左目用画像のみならず、右目用画像も視認することとなり、所謂、クロストークが生じてしまう。
【００３１】
そこで、本実施形態では、シャッター切替部３６は、液晶パネル２１が常温であり、かつ各選択部３１，３２が低温である場合には、メモリー３５から眼鏡低温動作時の切替タイミングに関する情報を読み出し、以下に示すように、左目用選択部３１及び右目用選択部３２の終了タイミングＳ１Ｅ，Ｓ２Ｅを変更する。
シャッター切替部３６は、第１表示期間Ｔ１では、メモリー３５から遅延時間ＳＤよりも長い時間ＳＤ´に関する情報（眼鏡低温動作時の切替タイミングに関する情報）を読み出し、図４（Ｂ）に示すように、第２表示期間Ｔ２の開始タイミングＰ２Ｓに対して時間ＳＤ´だけ早い終了タイミングＳ１Ｅ´で左目用選択部３１にＯＦＦ信号を出力する。
第２表示期間Ｔ２でも同様に、シャッター切替部３６は、第１表示期間Ｔ１の開始タイミングＰ１Ｓに対して時間ＳＤ´だけ早い終了タイミングＳ２Ｅ´で右目用選択部３２にＯＦＦ信号を出力する。
すなわち、眼鏡低温動作時でも常温動作時と同様に、図４（Ｂ）に示すように、左目用選択部３１及び右目用選択部３２の透過時間ＴＰと、一方表示時間ＴＳとが略同一となるように設定されている。
【００３２】
〔4-3．パネル高温動作〕
図５は、画像表示装置１のパネル高温動作を説明するための図である。具体的に、図５（Ａ）は、各選択部３１，３２が常温であり、かつ液晶パネル２１が高温である場合に、常温動作での各タイミングＳ１Ｓ，Ｓ１Ｅ，Ｓ２Ｓ，Ｓ２Ｅで透過状態及び遮断状態を切り替えた状態を示している。図５（Ｂ）は、図５（Ａ）に対して、開始タイミングＳ１Ｓ，Ｓ２Ｓを変更した状態を示している。
なお、画像表示装置１のパネル高温動作は、上述した常温動作に対して、シャッター切替部３６による左目用選択部３１及び右目用選択部３２へのＯＮ信号の出力タイミング（開始タイミングＳ１Ｓ，Ｓ２Ｓ）が異なるのみである。このため、以下では、開始タイミングＳ１Ｓ，Ｓ２Ｓのみを説明する。
【００３３】
液晶パネル２１が高温である場合には、液晶パネル２１は、応答速度が常温時と比較して速くなる。
例えば、液晶パネル２１は、図５に示すように、開始タイミングＰ１Ｓ，Ｐ２Ｓから輝度ＰＬ，ＰＲに到達、あるいは、到達後、非表示となるまでの遅延時間ＰＤ´が常温時での遅延時間ＰＤに比較して短いものとなる。
すなわち、第１表示期間Ｔ１や第２表示期間Ｔ２において、左目用画像及び右目用画像の双方が表示されている時間ＰＤ´が短くなり、一方表示時間ＴＳ（図５）が長くなる。
このため、例えば、左目用選択部３１及び右目用選択部３２の切替タイミングを、常温動作時と同様の切替タイミング（開始タイミングＳ１Ｓ，Ｓ２Ｓ、終了タイミングＳ１Ｅ，Ｓ２Ｅ）とした場合には、透過時間ＴＰが一方表示時間ＴＳに対して短くなる。
【００３４】
そこで、本実施形態では、シャッター切替部３６は、各選択部３１，３２が常温であり、かつ液晶パネル２１が高温である場合には、メモリー３５からパネル高温動作時の切替タイミングに関する情報を読み出し、以下に示すように、左目用選択部３１及び右目用選択部３２の開始タイミングＳ１Ｓ，Ｓ２Ｓを変更する。
シャッター切替部３６は、第１表示期間Ｔ１では、メモリー３５から遅延時間ＰＤよりも短い遅延時間ＰＤ´に関する情報（パネル高温動作時の切替タイミングに関する情報）を読み出し、図５（Ｂ）に示すように、開始タイミングＰ１Ｓに対して遅延時間ＰＤ´だけ遅れた開始タイミングＳ１Ｓ´で左目用選択部３１にＯＮ信号を出力する。
第２表示期間Ｔ２でも同様に、シャッター切替部３６は、第２表示期間Ｔ２の開始タイミングＰ２Ｓに対して遅延時間ＰＤ´だけ遅れた開始タイミングＳ２Ｓ´で右目用選択部３２にＯＮ信号を出力する。
すなわち、パネル高温動作時でも常温動作時と同様に、図５（Ｂ）に示すように、左目用選択部３１及び右目用選択部３２の透過時間ＴＰと、一方表示時間ＴＳとが略同一となるように設定されている。
【００３５】
上述した本実施形態によれば、以下の効果がある。
本実施形態では、画像表示装置１を構成する制御手段４が上述したシャッター切替部３６を備えるので、液晶シャッター眼鏡３を採用した場合であっても、環境温度による影響を透過状態及び遮断状態の切替タイミングを変更することで相殺し、画像を良好に視認させることができる。
【００３６】
特に、シャッター切替部３６は、各選択部３１，３２が低温の場合には、常温動作時での終了タイミングＳ１Ｅ，Ｓ２Ｅよりも早い終了タイミングＳ１Ｅ´，Ｓ２Ｅ´に変更する。
このことにより、左目用選択部３１や右目用選択部３２の透過時間ＴＰを短くすることができ、第２表示期間Ｔ２中に左目用選択部３１の透過状態が継続したり、第１表示期間Ｔ１中に右目用選択部３２の透過状態が継続したりすることを防止できる。したがって、所謂、クロストークが生じることを回避できる。
【００３７】
また、シャッター切替部３６は、液晶パネル２１が高温の場合には、常温動作時での開始タイミングＳ１Ｓ，Ｓ２Ｓよりも早い開始タイミングＳ１Ｓ´，Ｓ２Ｓ´に変更する。
このことにより、液晶パネル２１が高温となり一方表示時間ＴＳが長くなった場合に、当該一方表示時間ＴＳに対応して、左目用選択部３１や右目用選択部３２の透過時間ＴＰを長くすることができる。
したがって、左目用選択部３１を通して左目用画像を視認できる時間が長くなり、右目用選択部３２を通して右目用画像を視認できる時間が長くなり、明るい画像を観察者に視認させることができる。
【００３８】
なお、本発明は前述の実施形態に限定されるものではなく、本発明の目的を達成できる範囲での変形、改良等は本発明に含まれるものである。
前記実施形態では、本発明に係る画像表示装置を、観察者に投影画像を立体視させる画像表示装置として構成していたが、これに限らない。例えば、左目用画像及び右目用画像をコンテンツの異なる画像とし、２つの投影画像を表示するデュアル表示装置として構成しても構わない。
このようなデュアル表示装置として構成した場合には、液晶シャッター眼鏡３としては、左目用選択部３１を左右に設けた眼鏡、及び右目用選択部３２を左右に設けた眼鏡の２種類を設ければよい。
【００３９】
前記実施形態では、常温動作時、眼鏡低温動作時、及びパネル高温動作時の３つの切替タイミングに関する情報を例示していたが、これに限らない。例えば、各選択部３１，３２の温度に応じて複数の切替タイミングに関する情報を設け、眼鏡低温動作時において、各選択部３１，３２の温度に応じて種々の終了タイミングに変更する構成を採用しても構わない。パネル高温動作時の切替タイミングも同様である。
前記実施形態では、各選択部３１，３２が低温の場合や、液晶パネル２１が高温の場合に切替タイミングを変更する構成を例示したが、これに限らず、各選択部３１，３２が高温の場合や、液晶パネル２１が低温の場合に切替タイミングを変更する構成を採用しても構わない。
【００４０】
前記実施形態では、温度検出手段５として、第１温度センサー２５と第２温度センサー３４の双方を設けていたが、いずれか一方のみを設けた構成としても構わない。
前記実施形態では、本発明に係る選択切替部を液晶シャッター眼鏡３に搭載した構成を例示したが、これに限らず、プロジェクター２に搭載した構成を採用しても構わない。すなわち、プロジェクター２側で各選択部３１，３２の動作を制御する構成としても構わない。
【００４１】
前記実施形態では、画像表示装置１として、フロント投射型のプロジェクター２を採用した例のみを挙げたが、本発明は、スクリーンを備え、当該スクリーンの裏面側から投射を行うリアタイプのプロジェクターを採用した構成としても構わない。
【産業上の利用可能性】
【００４２】
本発明は、プロジェクターや眼鏡を用いて画像を立体視させる画像表示装置に利用できる。
【符号の説明】
【００４３】
１・・・画像表示装置、３・・・シャッター眼鏡（画像選択手段）、４・・・制御手段、５・・・温度検出手段、２１・・・液晶パネル（表示手段）、２２・・・表示制御部、３６・・・シャッター切替部（選択切替部）。
【図１】
2011197041.tif 000003
【図２】
2011197041.tif 000004
【図３】
2011197041.tif 000005
【図４】
2011197041.tif 000006
【図５】
2011197041.tif 000007